(57)【要約】【課題】写真撮影に際して、シャッタ速度、絞り値、ストロボ発光などの各種のパラメータを決定して被写体画像を撮影する機能を備えたカメラ装置で、カメラの性能やユーザの撮影テクニックを超えた味のある面白い写真を撮影して写真撮影の楽しさを増すこと。【解決手段】シャッタ速度、絞り値、ストロボ発光などの各種の撮影パラメータそれぞれの設定値を決定するにあたり、その決定方法として、従来からある「１．自動設定（オート）」「２．手動設定（マニュアル）」の他に、「３．ランダム設定」や「その他の情報に応じた設定」を行うための「４．時刻（日付）に基づいて決定」「５．電池残量に基づいて決定」「６．メモリ記憶残量に基づいて決定」「７．外気温に基づいて決定」「８．マイク入力音に基づいて決定」…など、被写体の状態とは全く関係しないランダム値や他の情報の内容に応じて該当パラメータの値を決定でき、ユーザが撮影前には予想し得ない写真撮影を行わせる。【選択図】      図１
2006276162.tif 000002
【特許請求の範囲】
【請求項１】
被写体の状態に関する被写体情報を取得する被写体情報取得手段と、
この被写体情報取得手段により取得された被写体に関する情報に基づいて撮影パラメータを設定する第１のパラメータ設定手段と、
ユーザ操作による指定情報に応じて撮影パラメータを設定する第２のパラメータ設定手段と、
前記被写体情報と前記指定情報とは異なる所定の状態に関する情報を取得する所定情報取得手段と、
この所定情報取得手段により取得された所定の状態情報に基づいて撮影パラメータを設定する第３のパラメータ設定手段と、
前記第１のパラメータ設定手段、または第２のパラメータ設定手段、または第３のパラメータ設定手段により設定された撮影パラメータにより被写体の画像を撮影して記録する撮影記録手段と、
を備えたことを特徴とするカメラ装置。
【請求項２】
前記所定情報取得手段は、ランダムな状態の数値情報を取得するランダム数値取得手段であり、前記第３のパラメータ設定手段は、前記ランダム数値取得手段により取得されたランダムな状態の数値情報に従って撮影パラメータを設定することを特徴とする請求項１に記載のカメラ装置。
【請求項３】
前記所定情報取得手段は、時刻（日付）、電池残量、メモリ記憶容量、外気温、外部入力音声の各状態うち少なくとも一つの種類の状態の情報を取得し、前記第３のパラメータ設定手段は、前記所定情報取得手段により取得されたある種の状態の情報に基づいて撮影パラメータを設定することを特徴とする請求項１に記載のカメラ装置。
【請求項４】
前記第１ないし第３のパラメータ設定手段は、シャッタ速度、絞り値、画像フィルタ種類、画像フィルタサイズ、画像フィルタ位置のうちの少なくとも一つを含む撮影パラメータを設定することを特徴とする請求項１ないし請求項３の何れか１項に記載のカメラ装置。
【請求項５】
被写体の状態に関する被写体状態のセンサ手段と、この被写体状態とは異なる所定の状態のセンサ手段とを有するカメラ装置のコンピュータを制御するための制御プログラムであって、
前記コンピュータを、
前記被写体状態のセンサ手段によって被写体の状態に関する被写体情報を取得させる被写体情報取得制御手段、
この被写体情報取得制御手段により取得された被写体に関する情報に基づいて撮影パラメータを設定する第１のパラメータ設定手段、
ユーザ操作による指定情報に応じて撮影パラメータを設定する第２のパラメータ設定手段、
前記所定の状態のセンサ手段によって前記被写体情報と前記指定情報とは異なる所定の状態の情報を取得させる所定情報取得制御手段、
この所定情報取得制御手段により取得された所定の状態情報に基づいて撮影パラメータを設定する第３のパラメータ設定手段、
前記第１のパラメータ設定手段、または第２のパラメータ設定手段、または第３のパラメータ設定手段により設定された撮影パラメータにより被写体の画像を撮影して記録する撮影記録制御手段、
として機能させるようにしたコンピュータ読み込み可能なカメラ装置の制御プログラム。
【発明の詳細な説明】
【技術分野】
【０００１】
本発明は、写真撮影に際して、シャッタ速度、絞り値、ストロボ発光などの各種のパラメータを決定して被写体画像を撮影する機能を備えたカメラ装置およびその制御プログラムに関する。
【背景技術】
【０００２】
一般にカメラ装置では、シャッタ速度、絞り値、ストロボ発光、感度、フォーカスなどの各種の撮影パラメータが決定されて写真撮影が行われるが、従来、この写真撮影時の撮影パラメータを決定する方法としては、自動設定（オート）と手動設定（マニュアル）があった。
【０００３】
自動設定による方法では、被写体の状態（明るさなど）に応じて最適な撮影を行うための撮影パラメータ（シャッタ速度など）を決定するテーブルや計算式が予め定められており、カメラ装置に設けられた各種のセンサ（照度センサなど）により取得された被写体の状態情報に応じて、前記テーブルや計算式から撮影パラメータを自動設定し写真撮影を行っている。この場合、予め定められたテーブルや計算式によって決まる各撮影パラメータの範囲内での写真撮影しか行うことができないが、被写体の状態に忠実で失敗のない撮影を手軽に行うことができる利点が有る。
【０００４】
これに対して、手動設定による方法では、ユーザ所望のパラメータについて任意の値を決定できるため、故意に露出をオーバさせたり、ピントをずらしたりすることで、被写体の状態に忠実な撮影ではなく、芸術性の高い写真撮影を行うことが可能である。そして、このような芸術性の高い写真を撮影するための各種のパラメータの手動設定値は、プロの写真家や写真好きのユーザであれば、どのパラメータをどの程度の値に設定すればどのような写真が撮影されるか経験上想定できるため、容易に手動設定可能であるが、一般ユーザの場合はこれを容易に手動設定することは困難である。このために、プロの写真家が推奨する各種撮影パラメータの設定値を、一般ユーザが簡単に真似して利用できるようにしたカメラ装置が考えられている（例えば、特許文献１、特許文献２参照。）。
【特許文献１】特開２００４−０２３３５２号公報
【特許文献２】特開２００４−１２０２７７号公報
【発明の開示】
【発明が解決しようとする課題】
【０００５】
ところで、ＴＯＹカメラなどの性能の悪いカメラ装置で撮影した写真が、被写体の状態に忠実ではないものの、味のある面白い写真として撮影されることが少なくない。また、写真撮影時に撮影パラメータを誤って設定してしまったと思った場合でも、撮影された写真が味のある面白い写真となることが少なくない。
【０００６】
しかしながら、前記従来のカメラ装置では、撮影パラメータの自動設定や手動設定を行うことによって、当該カメラの性能に応じた範囲の写真やユーザの撮影テクニックに応じた範囲の写真しか撮影することができず、予想外に味のある面白い写真を積極的に撮影することはできなかった。
【０００７】
本発明は、このような課題に鑑みなされたもので、カメラの性能やユーザの撮影テクニックを超えた味のある面白い写真を撮影して写真撮影の楽しさを増すことが可能になるカメラ装置およびその制御プログラムを提供することを目的とする。
【課題を解決するための手段】
【０００８】
本発明の請求項１（請求項５）に記載のカメラ装置（カメラ装置の制御プログラム）は、被写体の状態に関する被写体情報を取得する被写体情報取得手段と、この被写体情報取得手段により取得された被写体に関する情報に基づいて撮影パラメータを設定する第１のパラメータ設定手段と、ユーザ操作による指定情報に応じて撮影パラメータを設定する第２のパラメータ設定手段と、前記被写体情報と前記指定情報とは異なる所定の状態に関する情報を取得する所定情報取得手段と、この所定情報取得手段により取得された所定の状態情報に基づいて撮影パラメータを設定する第３のパラメータ設定手段と、前記第１のパラメータ設定手段、または第２のパラメータ設定手段、または第３のパラメータ設定手段により設定された撮影パラメータにより被写体の画像を撮影して記録する撮影記録手段とを備えたことを特徴としている。
【０００９】
本発明の請求項２に記載のカメラ装置は、前記請求項１に記載のカメラ装置にあって、前記所定情報取得手段は、ランダムな状態の数値情報を取得するランダム数値取得手段であり、前記第３のパラメータ設定手段は、前記ランダム数値取得手段により取得されたランダムな状態の数値情報に従って撮影パラメータを設定することを特徴としている。
【００１０】
本発明の請求項３に記載のカメラ装置は、前記請求項１に記載のカメラ装置にあって、前記所定情報取得手段は、時刻（日付）、電池残量、メモリ記憶容量、外気温、外部入力音声の各状態のうち少なくとも一つの種類の状態の情報を取得し、前記第３のパラメータ設定手段は、前記所定情報取得手段により取得されたある種の状態の情報に基づいて撮影パラメータを設定することを特徴としている。
【００１１】
本発明の請求項４に記載のカメラ装置は、前記請求項１ないし請求項３の何れか１項に記載のカメラ装置にあって、前記第１ないし第３のパラメータ設定手段は、シャッタ速度、絞り値、画像フィルタ種類、画像フィルタサイズ、画像フィルタ位置のうちの少なくとも一つを含む撮影パラメータを設定することを特徴としている。
【発明の効果】
【００１２】
本発明の請求項１（請求項５）に記載のカメラ装置（カメラ装置の制御プログラム）によれば、被写体の明るさなど、被写体に関する情報に基づいて撮影パラメータを設定する第１のパラメータ設定手段（オート設定）やユーザ操作による指定情報に応じて撮影パラメータを設定する第２のパラメータ設定手段（マニュアル設定）以外に、現在の時刻（日付）など、前記被写体に関する情報やユーザ操作による指定情報とは異なる所定の状態の情報を取得し、この所定の状態の情報に基づいて撮影パラメータを設定する第３のパラメータ設定手段により設定された撮影パラメータによって、被写体の画像を撮影して記録できるようにしたので、ユーザが撮影前には予想し得ない撮影パラメータの決定状態での写真撮影によって、予想外に味のある面白い写真を撮影できるようになる。
【００１３】
よって、本発明によれば、カメラの性能やユーザの撮影テクニックを超えた味のある面白い写真を撮影して写真撮影の楽しさを増すことが可能になるカメラ装置およびその制御プログラムを提供できる。
【発明を実施するための最良の形態】
【００１４】
以下図面により本発明の実施の形態について説明する。
【００１５】
図１は、本発明の実施形態に係るデジタルカメラ装置１０の電子回路の構成を示すブロック図である。
【００１６】
このデジタルカメラ装置１０は、制御部（ＣＰＵ）１１、計時部１１ａ、記憶装置１２、ＲＡＭ１３、撮像部１４、光照射部１４ａ、画像メモリ１４ｂ、液晶表示部１５、入力部１６、照度センサ１６ａ、測距センサ１６ｂ、外気温センサ１６ｃ、電池残量センサ１６ｄ、音声入力部１７、記憶媒体読み取り部１８、通信制御部１９より構成され、バス（Ｂｕｓ）を介して相互に接続される。
【００１７】
このデジタルカメラ装置１０の電子回路の各回路部は、乾電池や充電式のバッテリによる電池電源２３から供給される電源電圧によって駆動される。
【００１８】
制御部（ＣＰＵ）１１は、入力部１２からの入力信号に応じて、記憶装置１２に予め記憶されているカメラ制御プログラム、あるいは小型メモリカードなどの外部記憶媒体１８ａから記憶媒体読み書き部１８を介して記憶装置１２に読み込まれたカメラ制御プログラム、あるいは通信制御部１９によるＰＣ（Personal Computer）２０との接続によって外部のコンピュータ端末（プログラムサーバ２１）の記憶装置２２から通信ネットワーク（インターネット）２０を経由し記憶装置１２に読み込まれたカメラ制御プログラムを起動させ、ＲＡＭ１３をワークメモリとして回路各部の動作を制御する。
【００１９】
記憶装置１２は、半導体メモリのＲＯＭやハードディスク装置（ＨＤＤ）等で構成し、本デジタルカメラ装置１０の電源投入直後に制御部（ＣＰＵ）１１により読み出される前述のカメラ制御プログラムを予め記憶している。
【００２０】
ＲＡＭ１３には、撮影パラメータ設定メモリ１３ａ、撮影パラメータ決定テーブル１３ｂなどが備えられる。
【００２１】
撮影パラメータ設定メモリ１３ａには、シャッタ速度、絞り値、感度、ストロボ発光、フォーカス、ホワイトバランス、画像フィルタ種類、フィルタ位置、フィルタサイズ、フィルタ強度／色などの各種の撮影パラメータをそれぞれ個々にユーザの選択操作に従い「自動設定（オート）」「手動設定（マニュアル）」「ランダム設定」「その他の情報に応じた設定」の何れかによって設定するため設定情報が記憶される。
【００２２】
図２は、前記デジタルカメラ装置１０において各種の撮影パラメータを選択設定するための撮影パラメータ選択画面Ｇおよびそのパラメータ値決定方法選択画面Ｇｎの表示状態を示す図である。
【００２３】
すなわち、撮影パラメータの設定操作では、まず、図２（Ａ）に示すような撮影パラメータ選択画面Ｇが表示され、この撮影パラメータ選択画面Ｇでの個々のパラメータ１，２，３，…を選択指定する毎に、当該指定された種類の撮影パラメータの決定方法について選択するための決定方法選択画面Ｇｎが表示される。そして、前記撮影パラメータ設定メモリ１３ａには、この決定方法選択画面Ｇｎに従って選択されたパラメータ値の決定方法が個々のパラメータ１，２，３，…毎に記憶設定される。
【００２４】
このパラメータ決定方法選択画面Ｇｎにあって、「１．自動設定（オート）」「２．手動設定（マニュアル）」「３．ランダム設定」の他に、「その他の情報に応じた設定」を行うための決定方法の項目としては、例えば「４．時刻（日付）に基づいて決定」「５．電池残量に基づいて決定」「６．メモリ記憶残量に基づいて決定」「７．外気温に基づいて決定」「８．マイク入力音に基づいて決定」…などが用意されるもので、このような「その他の情報に応じた設定」によるパラメータ決定方法を選択した場合には、被写体の状態とは全く関係しない他の情報の内容に応じて該当パラメータの値が決定されるので、ユーザが撮影前には予想し得ない撮影パラメータの決定状態での写真撮影が行われることになる。
【００２５】
撮影パラメータ決定テーブル１３ｂには、各種の撮影パラメータのそれぞれにおいて前記「その他の情報に応じた設定」が選択設定された場合に、当該他の情報の内容に対応付けて当該撮影パラメータの値を決定するためのテーブルデータが記憶される。
【００２６】
図３は、前記デジタルカメラ装置１０の撮影パラメータ決定テーブル１３ｂに記憶される各種パラメータの他の情報に応じたパラメータ値の決定テーブルを示す図であり、同図（Ａ）は外気温対シャッタ速度対応テーブル１３b1、同図（Ｂ）は電池残量対絞り値対応テーブル１３b2、同図（Ｃ）は時刻対画像フィルタ種類対応テーブル１３b3、同図（Ｄ）はマイク入力音量対画像フィルタサイズ対応テーブル１３b4、同図（Ｅ）はマイク入力周波数対画像フィルタ位置対応テーブル１３b5である。
【００２７】
例えば、図２（Ａ）で示した＜撮影パラメータ選択画面＞Ｇに従った撮影パラメータ「１．シャッタ速度」について、図２（Ｂ）で示した＜シャッタ速度決定方法選択画面＞Ｇ１に従い「７．外気温に基づいて決定」が選択された場合には、図３（Ａ）で示した外気温対シャッタ速度対応テーブル１３b1に従って外気温センサ１６ｃにより検出される現在の外気温に対応して今回撮影時のシャッタ速度が決定される。
【００２８】
計時部１１ａは、制御部（ＣＰＵ）１１によって出力されるクロック信号に応じて、現在の年月日時刻を計時する。
【００２９】
撮像部１４は、撮像レンズやＣＣＤおよびズーム・フォーカス・絞りの駆動調整機構などを備え、入力部１６によるシャッタ操作に応じて撮像レンズを通して結像される光学画像をＣＣＤ(Charge coupled device)により撮像してデジタル画像データに変換する。
【００３０】
光照射（ストロボ発光）部１４ａは、前記シャッタ操作に伴い撮像部１４による撮像動作が行われる際に発光し撮影方向に向けて照射する。
【００３１】
画像メモリ１４ｂには、前記撮像部１４により撮像された画像データがそのメモリ容量に応じた枚数分だけ記憶される。
【００３２】
表示部１５は、液晶表示のモニタ画面を備え、前記撮像部１４により撮像された画像の表示や各種撮影のためのガイドメッセージの表示、選択項目の表示などを行う。
【００３３】
入力部１６は、電源キー、撮影モード設定キー、シャッタキー、ズームキーなどの各種の操作キー（ボタン）を備える。
【００３４】
照度センサ１６ａは、撮像部１４により撮像される被写体周辺の明るさを測定検出するためのセンサである。
【００３５】
測距センサ１６ｂは、撮像部１４により撮像される被写体までの距離を測定検出するためのセンサである。
【００３６】
外気温センサ１６ｃは、外気温を測定検出するためのセンサである。
【００３７】
電池残量センサ１６ｄは、電池電源２３の電圧レベルを常時測定検出し電池残量情報として出力するセンサである。
【００３８】
音声入力部１７は、マイクを備えて周囲の音声を入力するもので、この音声入力部１７からの音声入力信号に応じて、制御部（ＣＰＵ）１１では入力音量や入力音声周波数を検出する。
【００３９】
次に、前記構成によるデジタルカメラ装置１０の撮影機能について説明する。
【００４０】
図４は、前記デジタルカメラ装置１０による撮影パラメータ設定処理を示すフローチャートである。
【００４１】
入力部１６によるユーザ操作に応じて撮影パラメータの設定処理が起動されると、図２（Ａ）に示すように、各種の撮影パラメータを選択設定するための撮影パラメータ選択画面Ｇが表示部１５に表示される（ステップＳ１）。
【００４２】
この撮影パラメータ選択画面Ｇに従い、入力部１６によるユーザ操作に応じて、そのパラメータの決定方法を設定する対象となる撮影パラメータが選択されると（ステップＳ２）、この選択された撮影パラメータについての決定方法選択画面Ｇｎが表示部１５に表示される（ステップＳ３）。
【００４３】
つまり、図２（Ａ）で示す撮影パラメータ選択画面Ｇにおいて「１．シャッタ速度」が選択された場合には（ステップＳ１，Ｓ２）、図２（Ｂ）に示すように、＜シャッタ速度決定方法選択画面＞Ｇ１が表示される（ステップＳ３）。
【００４４】
この＜シャッタ速度決定方法選択画面＞Ｇ１に従い、入力部１６によるユーザ操作に応じて、「１．オート（明るさ）により決定」「２．マニュアル操作により決定」「３．ランダムに決定」「４．時刻（日付）に基づいて決定」「５．電池残量に基づいて決定」「６．メモリ記憶残量に基づいて決定」「７．外気温に基づいて決定」「８．マイク入力音に基づいて決定」…の中からユーザ所望の決定方法が選択されると（ステップＳ４）、選択されたシャッタ速度の決定方法が撮影パラメータ設定メモリ１３ａに記憶設定される（ステップＳ５）。
【００４５】
また、例えば図２（Ａ）で示す撮影パラメータ選択画面Ｇにおいて「６．ホワイトバランス」が選択された場合には（ステップＳ１，Ｓ２）、図２（Ｃ）に示すように、＜ホワイトバランス決定方法選択画面＞Ｇ６が表示される（ステップＳ３）。
【００４６】
この＜ホワイトバランス決定方法選択画面＞Ｇ６に従い、入力部１６によるユーザ操作に応じて、例えば「７．外気温に基づいて決定」の決定方法項目が選択されると（ステップＳ４）、選択されたホワイトバランス決定方法「７．外気温に基づいて決定」が撮影パラメータ設定メモリ１３ａに記憶設定される（ステップＳ５）。
【００４７】
この後、さらにユーザ所望の他の撮影パラメータについても、それぞれそのパラメータ決定方法が選択されることで、前記ステップＳ１〜Ｓ５の処理が繰り返し実行され、各撮影パラメータ毎の決定方法が撮影パラメータ設定メモリ１３ａに記憶設定される。
【００４８】
そして、前記撮影パラメータ選択画面Ｇでの最終項目「２０．（終了）」が選択操作されることで、前記一連の撮影パラメータ設定処理が終了される（ステップＳ１，Ｓ２→終了）。
【００４９】
図５は、前記デジタルカメラ装置１０による撮影処理を示すフローチャートである。
【００５０】
所望の被写体を撮影するに際して、入力部１６のシャッタキー（ボタン）が半押し操作されたと判断されると（ステップＡ１）、各種の撮影パラメータ（「１．シャッタ速度」「２．絞り値」「３．感度」「４．ストロボ発光」「５．フォーカス」「６．ホワイトバランス」「７．画像フィルタ種類」「８．フィルタ位置」「９．フィルタサイズ」「１０．フィルタ強度／色」など）のうちの実際の値が未設定である先頭の撮影パラメータ（例えば最初は「１．シャッタ速度」）が指定される（ステップＡ２）。
【００５１】
すると、この指定された撮影パラメータの決定方法について、前記図４における撮影パラメータ設定処理に従い撮影パラメータ設定メモリ１３ａに記憶設定された該当する撮影パラメータの決定方法が読み出されて判断される（ステップＡ３）。
【００５２】
そして、前記撮影パラメータ設定メモリ１３ａに記憶設定された指定の撮影パラメータの決定方法が「１．自動設定（オート）」であると判断された場合には、照度センサ１６ａや測距センサ１６ｂなどにより測定検出される被写体の状態（被写体状態情報）に応じて最適な撮影を行うための予め定められたテーブルあるいは計算式に従い当該撮影パラメータの値が決定される（ステップＡ３→Ａ４ａ）。
【００５３】
また、前記撮影パラメータ設定メモリ１３ａに記憶設定された指定の撮影パラメータの決定方法が「２．手動設定（マニュアル）」であると判断された場合には、当該撮影パラメータの値の選択入力画面が表示され、このパラメータ値の選択入力画面に従い当該撮影パラメータのユーザ任意の指定値（指定情報）が入力されて決定される（ステップＡ３→Ａ４ｂ）。
【００５４】
また、前記撮影パラメータ設定メモリ１３ａに記憶設定された指定の撮影パラメータの決定方法が「３．ランダム設定」であると判断された場合には、当該撮影パラメータの値はランダム状態で発生された数値に対応させて決定される（ステップＡ３→Ａ４ｃ）。
【００５５】
さらに、前記撮影パラメータ設定メモリ１３ａに記憶設定された指定の撮影パラメータの決定方法が、例えば「４．時刻（日付）に基づいて決定」や「５．電池残量に基づいて決定」など、「その他の情報に応じた設定」であると判断された場合には、図６における他の情報による決定処理へ移行され、被写体の状態とは関係の無いその他の情報（前記被写体情報や前記指定情報とは異なる所定の状態の情報）に従って指定の撮影パラメータの値が決定される（ステップＡ３→Ａ４ｄ）。
【００５６】
図６は、前記デジタルカメラ装置１０の撮影処理に伴う他の情報による（パラメータ）決定処理を示すフローチャートである。
【００５７】
例えば前記ステップＡ２において指定された撮影パラメータが「１．シャッタ速度」であって、ステップＡ３において「その他の情報に応じた設定」であるとして判断された決定方法が「７．外気温に基づいて決定」である場合には、その設定情報「外気温」が取得される（ステップｄ１）と共に、この取得された設定情報に従い外気温センサ１６ｃによって測定検出されている外気の温度が入力される（ステップｄ２）。
【００５８】
すると、撮影パラメータ決定テーブル１３ｂとして予め記憶されている、例えば図３（Ａ）に示すような「外気温対シャッタ速度対応テーブル」１３b1に従い、現在の外気の温度に応じたシャッタ速度の値が決定される（ステップｄ３）。
【００５９】
この後、ステップＡ２〜Ａ５の処理が繰り返し実行されることで、実際の値が未設定であるその他の各撮影パラメータの決定方法についても、前記撮影パラメータ設定メモリ１３ａに記憶設定されている決定方法が順次読み出され、この読み出された決定方法に従いステップＡ４ａ，Ａ４ｂ，Ａ４ｃ，Ａ４ｄの何れかにおいて該当のパラメータの値が決定される。
【００６０】
そして、ステップＡ５において、全ての撮影パラメータについてその値の決定が完了したと判断されると、入力部１６のユーザ操作によるシャッタキー（ボタン）全押し検出の待機状態となる（ステップＡ６）。ここで当該シャッタキー（ボタン）の全押し操作が検出されると、前記各撮影パラメータついて決定された値に応じて、撮像部１４での撮影処理、撮影された画像データに対する各種フィルタなどにより加工処理、この撮影・加工された画像データの画像メモリ１４ｂへの記録処理が実行される（ステップＡ７）。
【００６１】
つまり、このデジタルカメラ装置１０の撮影機能では、各種撮影パラメータの決定方法として、「３．ランダムに決定」や「その他の情報に応じた設定」として処理される「４．時刻（日付）に基づいて決定」「５．電池残量に基づいて決定」「６．メモリ記憶残量に基づいて決定」「７．外気温に基づいて決定」「８．マイク入力音に基づいて決定」…などの中から選択設定しておくと、ランダム発生値、あるいは計時部１１ａにより計時される現在の年月日時刻、外気温センサ１６ｃにより測定検出される外気の温度、電池残量センサ１６ｄにより測定検出される電池電源２３の残量、音声入力部１７により入力される音声信号の入力音量や入力音声周波数などといった被写体の状態に全く無関係でユーザ任意の指定情報とも無関係の状態の情報に応じて各種パラメータの値が決定され、撮影・加工・記録の処理が実行される。
【００６２】
したがって、前記構成のデジタルカメラ装置１０の撮影機能によれば、シャッタ速度、絞り値、ストロボ発光などの各種の撮影パラメータそれぞれの設定値を決定するにあたり、その決定方法として、従来からある「１．自動設定（オート）」「２．手動設定（マニュアル）」の他に、「３．ランダム設定」や「その他の情報に応じた設定」を行うための「４．時刻（日付）に基づいて決定」「５．電池残量に基づいて決定」「６．メモリ記憶残量に基づいて決定」「７．外気温に基づいて決定」「８．マイク入力音に基づいて決定」…など、被写体の状態とは全く関係しない（被写体状態情報やユーザ指定情報とは異なる）ランダム値や他の情報の内容（所定の状態情報）に応じて該当パラメータの値を決定できるようにしたので、ユーザが撮影前には予想し得ない撮影パラメータの決定状態での写真撮影を行わせることができるようになり、予想外に味のある面白い写真を撮影することが可能となる。
【００６３】
なお、前記実施形態において記載したデジタルカメラ装置１０による各処理の手法、すなわち、図４のフローチャートに示す撮影パラメータ設定処理、図５のフローチャートに示す撮影処理、この撮影処理に伴い実施される図６のフローチャートに示す他の情報による（パラメータ）決定処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１８ａに格納して配布することができる。そして、撮影機能および被写体の状態とは関係ない他の情報入力機能を有する電子機器のコンピュータ（制御部（ＣＰＵ）１１）は、この外部記録媒体１８ａに記憶されたプログラムを記憶装置１２に読み込み、この読み込んだプログラムによって動作が制御されることにより、前記実施形態において説明した撮影パラメータの決定処理および撮影処理を実現し、前述した手法による同様の処理を実行することができる。
【００６４】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末（プログラムサーバ）２１から前記のプログラムデータを通信制御部１９を介して取り込んで記憶装置１２に記憶させ、前述した撮影パラメータの決定処理および撮影処理を実現することもできる。
【００６５】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００６６】
【図１】本発明の実施形態に係るデジタルカメラ装置１０の電子回路の構成を示すブロック図。
【図２】前記デジタルカメラ装置１０において各種の撮影パラメータを選択設定するための撮影パラメータ選択画面Ｇおよびそのパラメータ値決定方法選択画面Ｇｎの表示状態を示す図。
【図３】前記デジタルカメラ装置１０の撮影パラメータ決定テーブル１３ｂに記憶される各種パラメータの他の情報に応じたパラメータ値の決定テーブルを示す図であり、同図（Ａ）は外気温対シャッタ速度対応テーブル１３b1、同図（Ｂ）は電池残量対絞り値対応テーブル１３b2、同図（Ｃ）は時刻対画像フィルタ種類対応テーブル１３b3、同図（Ｄ）はマイク入力音量対画像フィルタサイズ対応テーブル１３b4、同図（Ｅ）はマイク入力周波数対画像フィルタ位置対応テーブル１３b5。
【図４】前記デジタルカメラ装置１０による撮影パラメータ設定処理を示すフローチャート。
【図５】前記デジタルカメラ装置１０による撮影処理を示すフローチャート。
【図６】前記デジタルカメラ装置１０の撮影処理に伴う他の情報による（パラメータ）決定処理を示すフローチャート。
【符号の説明】
【００６７】
１０  …デジタルカメラ装置
１１  …制御部（ＣＰＵ）
１１ａ…計時部
１２  …記憶装置
１３  …ＲＡＭ
１３ａ…撮影パラメータ設定メモリ
１３ｂ…撮影パラメータ決定テーブル
１４  …撮像部
１４ｂ…画像メモリ
１５  …表示部
１６  …入力部
１６ａ…照度センサ
１６ｂ…測距センサ
１６ｃ…外気温センサ
１６ｄ…電池残量センサ
１７  …音声入力部
１８  …記憶媒体読み書き部
１８ａ…外部記録媒体
１９  …通信制御部
２０  …ＰＣ(Personal Computer)
２１  …プログラムサーバ（Webサーバ）
２２  …Webサーバの記憶装置
２３  …電池電源
【図１】
2006276162.tif 000003
【図２】
2006276162.tif 000004
【図３】
2006276162.tif 000005
【図４】
2006276162.tif 000006
【図５】
2006276162.tif 000007
【図６】
2006276162.tif 000008